(57)【要約】【課題】記録部に記録された複数の録画データの中から、ユーザーが所望する録画タイトルを簡単且つ迅速に判別できるように補助する。【解決手段】録画データから録画情報を抽出する情報抽出手段２３と、録画データに含まれる録画情報を表示装置Ｄｐに表示する録画情報表示Ｍ１を生成する録画情報表示生成手段６とを備え、情報抽出手段２３が抽出する録画情報には字幕が含まれており、録画情報表示生成手段６が字幕を表示する字幕表示部Ｌｔを含む録画情報表示Ｍ１を生成させる録画再生装置Ａ。【選択図】図２
2015019268.tif 000002
【特許請求の範囲】
【請求項１】
字幕が含まれる録画データを記録再生することができる録画再生装置であって、
前記録画データから録画情報を抽出する情報抽出手段と、
前記録画データに含まれる録画情報を表示装置に表示する録画情報表示を生成する録画情報表示生成手段とを備え、
前記情報抽出手段が抽出する前記録画情報には字幕が含まれており、
前記録画情報表示生成手段が字幕から抽出した文字情報を表示する字幕表示部を含む録画情報表示を生成させることを特徴とする録画再生装置。
【請求項２】
前記録画情報表示生成手段が、ユーザーによって選ばれている録画データに含まれている字幕を前記字幕表示部に表示するように録画情報表示を生成する請求項１に記載の録画再生装置。
【請求項３】
前記字幕表示部は、表示される文字数が決められている請求項１又は請求項２に記載の録画再生装置。
【請求項４】
前記録画情報には、録画時の時間の情報を含んでおり、
前記録画データから抽出した字幕に、当該録画データより録画時間が古い録画データから抽出された字幕と重複する部分があるか否かを検索する比較手段を備えており、
古い録画データの字幕と重複する部分が検出された場合、前記録画情報表示生成手段が前記重複する文字列を除いた字幕を字幕表示部に表示する請求項１から請求項３のいずれかに記載の録画再生装置。
【請求項５】
予め決められた文字列を登録しておき、前記録画データから抽出された字幕内に含まれる前記予め決められた文字列を検索する検索手段を備えており、
前記録画情報表示生成手段は、前記検出手段で検出された前記予め決められた文字列を含む字幕を字幕表示部に表示する請求項１から請求項３のいずれかに記載の録画再生装置。
【請求項６】
予め決められた文字列を登録しておき、前記録画データから抽出された字幕内に含まれる前記予め決められた文字列を検索する検索手段を備えており、
前記録画情報表示生成手段は、前記検出手段で検出された前記予め決められた文字列を含まない字幕を字幕表示部に表示する請求項１から請求項３のいずれかに記載の録画再生装置。
【請求項７】
前記予め決められた文字列とその文字列がでてくる時間を関連付けたデータベースを備えており、
前記検索手段は前記データベースの情報に基づいて字幕を検索する請求項５又は請求項６に記載の録画再生装置。
【請求項８】
前記データベースには、再生された録画データの字幕に繰り返し用いられている文字列が登録されている請求項７に記載の録画再生装置。
【請求項９】
前記録画情報表示が複数個の録画データの録画情報を表示する請求項１から請求項８のいずれかに記載の録画再生装置。
【請求項１０】
２又はそれ以上の前記録画情報に前記字幕表示部が備えられている請求項９に記載の録画再生装置。
【請求項１１】
前記字幕表示部は字幕をスクロール表示する請求項１から請求項１０のいずれかに記載の録画再生装置。
【請求項１２】
前記録画情報表示生成手段が前記字幕表示部で表示する字幕と同じ録画データに含まれる動画を表示する動画表示部を含む録画情報表示を生成する請求項１から請求項１１のいずれかに記載の録画再生装置。
【請求項１３】
前記録画情報表示生成手段が前記字幕表示部で表示する字幕と同じ録画データに含まれる動画を表示する動画表示部を含む録画情報表示を生成し、
前記動画表示部には前記スクロール表示される字幕と同期した動画が表示される請求項１１に記載の録画再生装置。
【請求項１４】
前記使用者によって与えられた絞込み条件に基づいて録画データの数を減らす絞り込み検索を行う絞込み手段を備えており、
前記録画情報表示生成手段は、前記絞り込み検索を行った後に、字幕から抽出した文字情報を表示する字幕表示部を含む録画情報表示を生成させる請求項１から請求項１３のいずれかに記載の録画再生装置。
【発明の詳細な説明】
【技術分野】
【０００１】
本発明は、放送コンテンツを録画再生する録画再生装置に関し、特に、録画した複数のコンテンツの内容を表示できる録画再生装置に関する。
【背景技術】
【０００２】
字幕データを含む放送コンテンツを記録（録画）し、字幕データをユーザーが所望するシーンの検索に用いる録画再生装置が知られている（例えば、特許文献１参照）。
【０００３】
上記特許文献１には、録画した番組の字幕と各字幕の表示時刻情報を利用して頭出し再生を行うシステム制御部（制御部）を備える放送記録再生装置（録画再生装置）が開示されている。この放送記録再生装置は、字幕と各字幕の表示時刻情報とが対応付けて記録された字幕記録テーブルを記録部に備えている。そして、システム制御部はユーザーの要求に基づいて字幕記録テーブルを読み出し、字幕情報の検索を行い、検索した字幕の表示時刻情報に基づいて、シーンの検索を行う。このような、放送記録再生装置を用いることで、頭出し再生を容易に行うことが可能となる。
【先行技術文献】
【特許文献】
【０００４】
【特許文献１】特開２００６−２４５９０７号公報
【発明の概要】
【発明が解決しようとする課題】
【０００５】
しかしながら、上記特許文献１に開示された放送記録再生装置（録画再生装置）では、１つタイトル内のシーンを検出するものであり、複数の録画タイトルから所望のシーンを検索する場合、全ての録画タイトルについて、シーンの検索を行う必要があり、シーンの検索に時間がかかる。
【０００６】
この発明は、上記のような課題を解決するためになされたものであり、この発明の１つの目的は、記録部に記録された複数の録画データの中から、ユーザーが所望する録画タイトルを簡単且つ迅速に判別できるように補助する録画再生装置を提供することである。
【課題を解決するための手段】
【０００７】
この発明の一の局面による録画再生装置は、字幕が含まれる録画データを記録再生することができる録画再生装置であって、前記録画データから録画情報を抽出する情報抽出手段と、前記録画データに含まれる録画情報を表示装置に表示する録画情報表示を生成する録画情報表示生成手段とを備え、前記情報抽出手段が抽出する前記録画情報には字幕情報が含まれており、前記録画情報表示生成手段が字幕から抽出した文字情報を表示する字幕表示部を含む録画情報表示を生成させるように構成している。
【０００８】
この発明の一局面による記録再生装置では、上記のように記録されている録画データの録画情報を表示する録画情報表示に、字幕を表示する字幕表示部を備えている。字幕は、録画されている録画データの内容、出演者の発言、セリフ等を文字化したものであるため、ユーザー（視聴者）による録画データの内容の確認を補助することができる。これにより、ユーザー（視聴者）が所望する（シーンが含まれる）録画データを容易に選別することができる。
【０００９】
上記一局面による記録再生装置において、好ましくは、前記録画情報表示生成手段が、ユーザーによって選ばれている録画データに含まれている字幕を前記字幕表示部に表示するように録画情報表示を生成するように構成されている。このように構成にすれば、字幕表示部で表示する字幕を限定することができるので、録画データから字幕を抽出するのに要する時間を減らすことができる。これにより、録画情報表示の表示装置への表示を速やかに行うことが可能である。
【００１０】
上記一局面による記録再生装置において、好ましくは、前記字幕表示部に表示される文字情報の文字数が決められる構成になっている。このように構成されていることで、録画データから抽出する字幕の字数を減らすことができるので、録画データから字幕を抽出する時間を減らすことができる。なお、字幕を抽出するとき、録画データに含まれる字幕の最初から所定文字数、抽出してもよいし、最後から所定文字数抽出してもよい。また、中間部分より一定文字数、抽出してもよい。
【００１１】
上記一局面による記録再生装置において、好ましくは、予め決められた文字列を登録しておき、前記録画データから抽出された字幕内に含まれる前記予め決められた文字列を検索する検索手段を備えており、前記録画情報表示生成手段は、前記検出手段で検出された前記予め決められた文字列を含む又は含まない字幕を字幕表示部に表示するように構成されている。このように構成すれば、予め決められた文字列を含む部分又は含まない字幕を字幕表示部に表示するため、ユーザーによる字幕の確認を容易にすることができる。なお、予め決められた文字列として、ユーザーによって与えられた文字列を挙げることができる。
【００１２】
上記一局面による記録再生装置において、好ましくは、前記予め決められた文字列とその文字列がでてくる時間を関連付けたデータベースを備えており、前記検索手段は前記データベースの情報に基づいて前記字幕を検索する構成としている。このように構成することで、字幕内に予め決められた文字列があるか判断し、文字列がある場合、出てくる時間の情報を迅速に得ることができる。これにより、字幕内の前記予め決められた文字列を含む文を素早く字幕表示部に表示することができる。前記データベースには、再生された録画データの字幕に繰り返し用いられている文字列が登録されるようにしてもよい。このように再生された録画データの字幕に繰り返し用いられる文字列はユーザーが好む文字列と判断することも可能であり、データベースの文字列と関連づけることで、ユーザーが所望する録画データの補助を行うことができる。
【００１３】
上記一局面による記録再生装置において、好ましくは、前記録画情報表示が複数個の録画データの録画情報を表示する構成としている。このように構成することで、録画データを一覧表示で確認することができるので、ユーザーが所望のデータを容易に選択することができる。
【００１４】
上記一局面による記録再生装置において、好ましくは、２又はそれ以上の前記録画情報に前記字幕表示部が備えられるように構成している。このように構成することで、録画情報が似た録画データの一覧が表示される場合でも、複数個の録画情報に字幕を表示するため、ユーザーが容易に所望する録画データを選別することが可能である。
【００１５】
上記一局面による記録再生装置において、好ましくは、  前記録画情報には、録画時の時間の情報を含んでおり、前記録画データから抽出した字幕に、当該録画データより録画時間が古い録画データから抽出された字幕と重複する部分があるか否かを検索する比較手段を備えており、古い録画データの字幕と重複する部分が検出された場合、前記録画情報表示生成手段が前記重複する文字列を除いた字幕を字幕表示部に表示する構成としている。このように構成することで、字幕の重複部分を表示しないため、ユーザーが録画データの内容を迅速かつ正確に認識することが可能である。
【００１６】
上記一局面による記録再生装置において、好ましくは、前記字幕表示部は字幕をスクロール表示する構成としている。このように構成することで、前記字幕表示部が狭い場合でも、多くの字幕を表示することが可能である。なお、スクロール量、スクロール速度は、自動であってもよいし、ユーザーによって決められてもよい。
【００１７】
上記一局面による記録再生装置において、好ましくは、前記録画情報表示生成手段が前記字幕表示部で表示する字幕と同じ録画データに含まれる動画を表示する動画表示部を含む録画情報表示を生成する構成としている。このように構成することで、字幕に合わせて動画も表示されるため、ユーザーの録画データの内容の理解を補助することができる。
【００１８】
上記一局面による記録再生装置において、好ましくは、前記録画情報表示生成手段が前記字幕表示部で表示する字幕と同じ録画データに含まれる動画を表示する動画表示部を含む録画情報表示を生成し、前記動画表示部には前記スクロール表示される字幕と同期した動画が表示される構成としている。この構成によると、動画と字幕のスクロール表示とが同期しているため、ユーザーが録画データの内容を容易に理解することが可能である。
【００１９】
上記一局面による記録再生装置において、好ましくは、前記使用者によって与えられた絞込み条件に基づいて録画データの数を減らす絞り込み検索を行う絞込み手段を備えており、前記録画情報表示生成手段は、前記絞り込み検索を行った後だけ、字幕情報から抽出した文字情報を表示する字幕表示部を含む録画情報表示を生成させる構成としている。
【発明の効果】
【００２０】
本発明によると、記録部に記録された複数の録画データの中から、ユーザーが所望する録画タイトルを簡単且つ迅速に判別することが可能な録画再生装置を提供することができる。
【図面の簡単な説明】
【００２１】
【図１】本発明にかかる録画再生装置の一例の構成を示すブロック図である。
【図２】図１に示す録画再生装置における録画タイトル一覧表示の一例を示す図である。
【図３】図２に示す一覧表示を行うときの録画再生装置の動作を示すフローチャートである。
【図４】本発明にかかる録画再生装置による録画タイトル一覧表示の他の例を示す図である。
【図５】本発明にかかる録画再生装置に録画されている録画データを模式的に示す図である。
【図６】本発明にかかる録画再生装置による録画タイトル一覧表示の他の例を示す図である。
【図７】図６に示す一覧表示を行うときの光ディスク装置の動作を示すフローチャートである。
【図８】本発明にかかる録画再生装置による録画タイトル一覧表示の他の例を示す図である。
【図９】本発明にかかる録画再生装置による録画タイトル一覧表示の他の例を示す図である。
【図１０】図９に示す録画タイトル一覧表示を行う手順を示すフローチャートである。
【図１１】字幕に含まれる文字列のデータベースの一例を示す図である。
【図１２】本発明にかかる録画再生装置の一例である光ディスク装置による録画タイトル一覧表示の他の例を示す図である。
【発明を実施するための形態】
【００２２】
以下に本発明の実施形態について図面を参照して説明する。
（第１実施形態）
図１は本発明にかかる録画再生装置の一例の構成を示すブロック図である。図１は本発明にかかる録画再生装置の一例として、記録媒体にハードディスクと光ディスクとを用いる光ディスク装置Ａとしている。図１に示す光ディスク装置Ａは、チューナ部１と、データ処理部２と、制御部３と、記録部４と、メモリ５と、ＯＳＤ（Ｏｎ Ｓｃｒｅｅｎ Ｄｉｓｐｌａｙ）生成部６（録画情報表示生成手段）と、外部出力部７と、操作入力部８とを備えている。
【００２３】
チューナ部１は、光ディスク装置Ａの外部に配置されたアンテナＡｎｔと接続されている。そして、アンテナＡｎｔを介して、通信事業者ごとに決められている周波数帯域（チャンネル）の電波（放送波）を受信している。なお、以下の説明では、デジタル方式の放送波を受信する構成のものとする。そして、チューナ部１は内部に復調部を備えており、放送波より符号化データ（ここでは、例えば、ＭＰＥＧ−２を挙げることができる）を抽出（検波）し、符号化データをデータ処理部２に送る。なお、符号化データは、映像データ、音声データ及び付加データを含む複数のデータが多重化されたものである。
【００２４】
データ処理部２は、デコーダ部２１、エンコーダ部２２及び付加情報抽出部２３（情報抽出手段）を備えている。デコーダ部２１は符号化データを復号化し、符号化データより映像データ、音声データ及び付加データを取り出す。エンコーダ部２２は、映像データ、音声データ及び符号化データに基づいて、多重化された符号化データを生成する。付加情報抽出部２３は付加データから、字幕情報、番組情報等の文字データを抽出する。なお、映像データ、音声データ及び付加データには、時間情報が含まれており、同期させることが可能となっている。
【００２５】
さらに、データ処理部２は、後述する一覧表示で利用するためのサムネイル画像を映像データから抽出する処理を行うことができるようになっている。サムネイル画像は、映像データの所定の時間（例えば、映像データの開始時）の静止画像である。サムネイル画像のデータは、文字データとともに、ＯＳＤ生成部６に送信される。なお、データ処理部２におけるサムネイル画像の抽出は、操作入力部８によって、録画タイトル一覧表示を行う指示が入力されたときのみ行うものとしている。
【００２６】
映像データ及び音声データは通常、外部出力部７に送られ、文字データはＯＳＤ生成部６に送られる。なお、映像データは、必要に応じて（例えば、後述する、録画タイトル一覧表示のサムネイル表示部で動画再生を行う場合等）ＯＳＤ生成部６に送られる。なお、これらのデータ処理部２の動作は、制御部３の指示に従って行われるようになっている。
【００２７】
記録部４は、記録媒体にハードディスクを利用するハードディスクドライブ部４１と、記録媒体にＢＤ、ＤＶＤ等の着脱可能な光ディスクを利用する光ディスクドライブ部４２とを備えている。光ディスク装置Ａでは、チューナ部１で受信した放送を記録部４（のハードディスクドライブ部４１又は光ディスクドライブ部４２）に記録することが可能になっている。
【００２８】
ハードディスクドライブ部４１と光ディスクドライブ部４２は、論理的に階層化されており、複数個のフォルダ（ディレクトリ）を備えている。そして、録画データはフォルダ内部に収納されている（フォルダではない部分、いわゆる、ドライブのルートに収納されている場合もあるが、ここでは、ルートも含めて、フォルダと解釈する）。
【００２９】
なお、記録部４の記録媒体として、ハードディスクと、光ディスクを挙げているが、これに限定されるものではない。例えば、フラッシュメモリ等のメモリを記録媒体として用いることも可能であり、さらには、付加データを含むコンテンツ信号の記録が可能な記録媒体を広く採用することが可能である。
【００３０】
光ディスク装置Ａでは、チューナ部１から送られてきた符号化データをそのままハードディスクドライブ部４１のハードディスク又は光ディスクドライブ部４２の光ディスクに記録できるようになっている。なお、記録部４に符号化データを記録することを録画と称する。また、説明の便宜上、放送波を復調して得た符号化データを放送データ（或いは、放送タイトル）と称し、記録部４に録画されている符号化データを録画データ（或いは、録画タイトル）と称する場合がある。
【００３１】
また、放送データをデコーダ部２１及びエンコーダ部２２を用いて、ユーザーの所望する符号化データに変換し、記録部４のハードディスクドライブ部４１のハードディスク又は光ディスクドライブ部４２の光ディスクに記録することも可能である。
【００３２】
上述において、データ処理部２はチューナ部１からの放送データの処理を行うことについて記載しているが、記録部４内に含まれる録画データの再生時にも録画データの処理を行う。
【００３３】
制御部３は光ディスク装置Ａの主制御装置であり、チューナ部１、データ処理部２、記録部４、メモリ５、ＯＳＤ生成部６、外部出力部７及び操作入力部８の動作を制御している。また、制御部３は、検索手段及び比較手段としても動作する。制御部３はＣＰＵ、ＭＰＵ等の演算処理装置を備えている。制御部３は、チューナ１に対して、受信する放送波の周波数帯域を決定する（選局を行う）選局部としての動作も行う。また、制御部３は、操作入力部８からの情報を取得しており、ユーザーの操作入力部８の操作を検出することができるようになっている。
【００３４】
制御部３は、ＲＯＭ等の不揮発メモリ、ＲＡＭ等の揮発メモリ等のメモリ５と接続されている。光ディスク装置Ａを制御するための各種プログラムや制御時に利用する情報を記憶しておくことができるようになっている。メモリ５は、制御部３から独立した構成を有しているが、これに限定されるものではなく、制御部３の内部に配置されていてもよい。
【００３５】
また、メモリ５の一部に作業領域を備えておき、映像データ、音声データ、文字データを一時的に保存するバッファメモリの代わりに用いてもよい。この場合、データ処理部２と記録部４とは、メモリ５を介して接続されるようにしてもよい。
【００３６】
ＯＳＤ生成部６は、データ処理部２から送られてきた映像データ及び文字データに基づき、ＯＳＤ表示画像を生成する。ここで、ＯＳＤ表示画像とは、放送タイトル又は録画タイトルの主たる映像（コンテンツ映像とする）とは異なる映像又はコンテンツ映像に重ねて表示する画像である。ＯＳＤ表示画像としては、例えば、番組表表示、番組情報表示、記録部４に記録されている録画タイトルの一覧表示、字幕等を挙げることができる。ＯＳＤ生成部６は、生成したＯＳＤ表示画像をＯＳＤ画像データとして外部出力部７に送信する。
【００３７】
外部出力部７は、データ処理部２からの映像データ、音声データ、及び（又は）ＯＳＤ生成部６からのＯＳＤ画像データを取得する。外部出力部７は、データ処理部を外部機器（図１では、ディスプレイＤｐ）に送る外部接続部である。また、ディスプレイＤｐで映像を表示するとき、映像にＯＳＤ表示画像を重畳させて表示する場合がある（例えば、字幕等）。外部出力部７は、ＯＳＤ表示画像を重畳させた映像データをディスプレイＤｐに送信することができるようになっている。すなわち、外部出力部７は、映像データとＯＳＤ画像データとを混合する混合器としての役割を果たす。
【００３８】
操作入力部８は、リモコン、パネルキー等のユーザーの所望する操作を入力するための入力装置を含む。操作入力部８は制御部３に操作を入力している。操作入力部８は、例えば、ユーザーによる再生、停止等の操作の入力や、ＯＳＤ表示時のカーソルの移動、決定等の操作の入力を信号として制御部３に送信する。光ディスク装置Ａは上述のような構成を有している。
【００３９】
次に、記録部４に記録された録画データを表示するＯＳＤ表示について図面を参照して説明する。図２は図１に示す録画再生装置における録画タイトル一覧表示の一例を示す図である。なお、図２に示す録画タイトル一覧表示Ｍ１で表示されている録画タイトルの表示は、記録部４に記録されている録画データと関連付けられているものである。なお、以下の説明では、ディスプレイＤｐ上に表示されたものを「録画タイトル」と称し、記録部４に記録されているものを「録画データ」と称するが、実質上同じものを指している。
【００４０】
図２に示すＯＳＤ表示画像は、ディスプレイＤｐに表示される表示画像であり、録画タイトル一覧表示Ｍ１である。図２に示すように、録画タイトル一覧表示Ｍ１は、フォルダ情報表示部Ｄｒ、サムネイル画像表示部Ｔｎ、チャンネル表示部Ｃｎ、録画日時表示部Ｔｍ及びタイトル情報表示部Ｔｉを備えた構成となっている。
【００４１】
録画タイトル一覧表示Ｍ１は、記録部４内の全ての録画データの一覧表示又はフォルダ内に含まれる録画データを録画タイトルとして上下に並べて一覧表示する、ＯＳＤ表示画像である。録画タイトル一覧表示Ｍ１では、フォルダ情報表示部Ｄｒに一覧表示を行っているフォルダ名、フォルダが含まれるドライブ部の情報が表示される。
【００４２】
例えば、図２に示す録画タイトル一覧表示Ｍ１では、フォルダ情報表示部Ｄｒに「ＨＤＤ、Ａフォルダ」と表示されている。これは、ハードディスクドライブ部４１に含まれるＡフォルダの内部の録画データ一覧を表示していることを示している。なお、光ディスクドライブ部４２が選択されている場合、光ディスクドライブ部４２に挿入されているディスクの種類（ＢＤ、ＤＶＤ）が表示されるようになっていてもよいし、光ディスクドライブ部４２自体を示す記号（例えば、「ＯＤＤ」）としてもよい。さらに、ハードディスクドライブ部４１及び光ディスクドライブ部４２の内部に含まれるすべての録画タイトルの一覧表示を行う場合、フォルダ情報表示部Ｄｒには表示なし又はすべてを表す表示（例えば「ＡＬＬ」）を行うようにしてもよい。
【００４３】
サムネイル画像表示部Ｔｎは、一覧表示される録画タイトルを代表する静止画像（サムネイル画像）を表示する部分である。サムネイル画像表示部Ｔｎは、各録画タイトルの左端に表示される。なお、サムネイル画像は、録画データに含まれる映像データの所定の時間（例えば、開始直後）の映像を静止画として抽出したものが用いられる。
【００４４】
録画タイトル一覧表示Ｍ１のサムネイル画像表示部Ｔｎの右隣には、録画タイトルを放送した放送局に対応するチャンネルを表示するチャンネル表示部Ｃｎが備えられている。チャンネルのデータは、録画データに含まれる付加データ内に含まれており、付加情報抽出部２３で抽出される。チャンネル表示部Ｃｎには、チャンネル番号が表示される。なお、各チャンネルには、ロゴマークが表示されるようにしてもよい。ロゴマークの情報が録画データの付加データに収納されている場合、付加データより抽出するようにしてもよい。また、別途、ロゴマークを取得してメモリ５に記録しておき、メモリ５より呼出すようにしてもよい。
【００４５】
また、録画タイトル一覧表示Ｍ１のサムネイル画像表示部Ｔｎの右隣には、録画が行われたときの日時を表示する録画日時表示部Ｔｍを備えている。ユーザーによっては、録画日時によって録画タイトルを認識している場合もあり、その場合の録画タイトルの選別に利用される。録画日時表示部Ｔｍは、実際に録画を行った時間を、録画データに多重して記録しておき、その時間のデータを用いてもよい。また、録画データの付加データには、放送の日時のデータが含まれており、その放送の日時を録画の日時として、録画日時表示部Ｔｍに表示してもよい。さらに、図２に示す録画日時表示部Ｔｍでは、日付と録画を開始した時間のみを表示するようにしているが、これに限定されるものではなく、年月日、録画開始から録画終了（放送開始から放送終了）の時間を表示するようにしてもよい。
【００４６】
図２に示すように、録画タイトル一覧表示Ｍ１の録画日時表示部Ｔｍの右隣には、タイトル情報表示部Ｔｉを備えている。タイトル情報表示部Ｔｉは、録画タイトルのタイトル名（放送番組名）及び規定文字数の文字列が表示される。
【００４７】
タイトル情報表示部Ｔｉは複数段（ここでは、３段）に文字列を表示できるようになっており、最上段には、録画タイトルのタイトル名が表示され、下の２段に規定文字数の文字列を表示することが可能となっている。そして、タイトル情報表示部Ｔｉの下２段は、通常、付加データに格納されている録画タイトルの概要（あらすじ、コーナー名、出演者等）が表示されるようになっている。
【００４８】
録画タイトル一覧表示Ｍ１では、操作入力部８からの入力で、録画タイトルを選択するようになっている。録画タイトル一覧表示Ｍ１において録画タイトルを選択するとき、カーソルＣｓを移動させて、所望の録画タイトルを選択するようになっている。
【００４９】
そして、録画タイトル一覧表示Ｍ１では、選択された（カーソルＣｓが当たっている）録画タイトルのタイトル情報表示部Ｔｉの下２段が、字幕表示部Ｌｔとして用いられる。つまり、録画タイトル一覧表示Ｍ１では、カーソルＣｓが当たっている録画タイトルのタイトル情報表示部Ｔｉに字幕を表示するようになっている。字幕表示部Ｌｔでは、字幕が自動又はユーザーの操作に合わせて送られる（スクロールされる）ようになっている。
【００５０】
なお、図２に示す録画タイトル一覧表示Ｍ１では、４個の録画タイトルを上下に表示可能としているが、フォルダ内には、４個以上の録画タイトルが含まれている場合がある。この場合、録画タイトル一覧表示Ｍ１を、上下又は左右にスクロールすることができるようにしておき、一定時間が経過するごとに自動的にスクロールする又はユーザーの要求に応じてスクロールするように形成されていてもよい。また、表示される録画タイトルの数も４個に限定されるものではなく、表示する録画タイトルの数をユーザーが選択することができるようにしていてもよい。また、録画タイトル一覧表示Ｍ１が表示されるディスプレイＤｐの大きさに合わせて、一度に表示される録画タイトルの個数を自動的に変更するものであってもよい。
【００５１】
光ディスク装置Ａでは、以上示したような録画タイトル一覧表示が可能となっている。以下に録画データの一覧表示を行うときの光ディスク装置Ａの動作について、フローチャートを参照しつつ説明する。図３は図２に示す一覧表示を行うときの録画再生装置の動作を示すフローチャートである。
【００５２】
光ディスク装置Ａでは、ユーザーによる指示に従って記録部４に記録されている録画タイトルの一覧表示を行うようになっている。そのため、制御部３は、ユーザーが操作入力部８を介して一覧表示を行う指示が入力されたことを確認すると（ステップＳ１１）、録画タイトル一覧表示を開始する。ステップＳ１１では、ユーザーによって選択されたフォルダ（ここでは、図２に示す、ハードディスクドライブ部４１内のＡフォルダ）の録画タイトル一覧表示を行う。そのため、制御部３は、記録部４のハードディスクドライブ部４１内の選択されたフォルダ（Ａフォルダ）に含まれるすべての録画データを検出する（ステップＳ１２）。
【００５３】
その後、制御部３は、録画データをデータ処理部２に送り、デコーダ部２１で映像データ、音声データ及び付加データに復号化する。そして、録画データごとに映像データからサムネイル画像（静止画）を抽出するとともに、付加情報抽出部２３で付加データから放送チャンネル、録画日時、タイトル情報等の録画タイトル一覧表示Ｍ１に必要なデータを抽出する（ステップＳ１３）。そして、抽出したこれらのデータをＯＳＤ生成部６に送る（ステップＳ１４）。
【００５４】
制御部３は、ＯＳＤ生成部６を動作させ、録画タイトル一覧表示Ｍ１を生成する。このとき、制御部３は、メモリ５に記憶されている録画タイトル一覧表示Ｍ１の表示画像をＯＳＤ生成部６に送る（ステップＳ１５）。ＯＳＤ生成部６は、メモリ５から受け取った表示画像と、録画データごとのサムネイル画像表示部Ｔｎ、チャンネル表示部Ｃｎ、録画日時表示部Ｔｍ及びタイトル情報表示部Ｔｉにそれぞれ対応するデータを合成する（ステップＳ１６）。このとき、録画タイトル一覧表示Ｍ１で表示されている録画タイトルの表示は、記録部４に記録されている録画データと関連付けられている。
【００５５】
ＯＳＤ生成部６は、生成した録画タイトル一覧表示Ｍ１の画像データを外部出力部７に送り、外部出力部７は、録画タイトル一覧表示Ｍ１の画像データをディスプレイＤｐに送り（ステップＳ１７）。これにより、ディスプレイＤｐ上に、録画タイトル一覧表示Ｍ１が表示される（ステップＳ１８）。
【００５６】
ユーザーはＯＳＤ表示された録画タイトル一覧表示Ｍ１を見ながら、所望の録画タイトルを選択する。制御部３は、操作入力部８の操作入力から録画タイトル一覧表示Ｍ１上のカーソルＣｓが当てられている録画タイトルを検出する（ステップＳ１１０）。制御部３は、データ処理部２の付加情報抽出部２３を動作させ、付加データから字幕情報を抽出する（ステップＳ１１１）。
【００５７】
そして、データ処理部２は制御部３からの指示に従って、字幕データをＯＳＤ生成部６に送る（ステップＳ１１２）。ＯＳＤ生成部６は制御部３からの指示に従い、録画タイトル一覧表示Ｍ１内の選択されている（カーソルＣｓが当たっている）録画データの字幕表示部Ｌｔ（タイトル情報表示部Ｔｉの下２段）に、字幕を順次送って表示するように合成する（ステップＳ１１３）。
【００５８】
字幕は、録画タイトルの内容を文字で表示するものであるため、ユーザーは字幕を読むことで、録画タイトルの内容を把握することが可能となる。このように、録画タイトル一覧表示Ｍ１で字幕を表示するようにすることで、ユーザーの録画タイトルの選別を補助することができる。また、サムネイル画像が良く似ている番組（例えば、ニュース、バラエティーショー、スポーツ等）で、サムネイル画像で判別しにくい録画タイトルが並んで表示されている場合がある。このような場合でも、ユーザーは字幕を確認することで、録画データの番組内容の差異を容易に判断することができるので、ユーザーが所望の録画タイトルを探しやすい。
【００５９】
なお、字幕は、自動で送られるようにしてもよいし、ユーザーの要求に応じて、速く又は遅く送るようにしてもよい。さらに、字幕の送りは、１文字又は複数文字ずつ送るようにしてもよいし、１行または複数行ごとに送るようにしてもよい。
【００６０】
さらには、字幕が固定となっていてもよい。字幕が送られない録画タイトル一覧表示の場合、予め決められている期間の字幕を表示するようになっていてもよい。この場合、表示する字幕として、先頭から既定の文字数（例えば、字幕表示部Ｌｔに収まる文字数）の字幕を用いてもよい。
【００６１】
また、本実施形態の光ディスク装置Ａは、デジタル放送（地上波、ＢＳ、ＣＳ、ケーブルテレビ等）の放送波を受信する構成としているが、アナログ放送の放送波を受信する構成であってもよい。この場合、チューナ部１としてアナログチューナを備えておき、データ処理部２のエンコーダ部２２で符号化した後、記録部４に記録するようになっていてもよい。また、外部出力部７がアナログの信号を直接ディスプレイＤｐに送信する構成であってもよい。また、放送がアナログの場合、付加情報は、例えばＶＢＩに重畳されて送信されてくるものとしてもよい。
【００６２】
なお、本実施形態では、本発明にかかる録画再生装置として、光ディスク装置を挙げているが、これに限定されるものではない。本発明の録画再生装置として、例えば、ハードディスクのみを備えた録画再生装置や、半導体メモリに録画データを記録するもの等、録画データを記録できる記録部を備え、録画データの記録、再生を行うことができるものを広く採用することができる。
【００６３】
また、一度行った録画タイトル一覧表示を記録部４に記録しておき、ユーザによる録画タイトル一覧表示の要求があったとき、記録している録画タイトル一覧表示を呼出すようにしてもよい。なお、このとき、録画データに変更があった場合、変更があった部分の録画タイトル一覧表示を変更するものを挙げることができる。
【００６４】
（第２実施形態）
本発明にかかる録画再生装置の一例である光ディスク装置の録画データの一覧表示について図面を参照して説明する。図４は本発明にかかる録画再生装置による録画タイトル一覧表示の他の例を示す図である。なお、本実施形態の録画再生装置は、図１に示す光ディスク装置と同じ構成を有しており、図１の光ディスク装置を参照して説明する。
【００６５】
図４に示す録画タイトル一覧表示Ｍ２は、動画表示部Ｍｖ及び字幕表示部Ｌｔを備え、同時に表示できる録画タイトルの数が２個である以外、録画タイトル一覧表示Ｍ１と同じ構成である。そのため、実質上、同じ部分には同じ符号を付すとともに、同じ部分の詳細な説明は省略する。
【００６６】
図４に示すように、録画タイトル一覧表示Ｍ２は、上部の左側に動画表示部Ｍｖが形成されており、動画表示部Ｍｖの右隣に字幕表示部Ｌｔを備えている。そして、下部には、２個の録画タイトルを同時に表示できるようになっている。なお、各録画タイトルは、録画タイトル一覧表示Ｍ１と同様、サムネイル画像表示部Ｔｎ、チャンネル表示部Ｃｎ、録画日時表示部Ｔｍ及びタイトル情報表示部Ｔｉを備えている。
【００６７】
図４に示すように、動画表示部Ｍｖは、サムネイル画像表示部Ｔｎよりも大きく形成されており、動画表示部Ｍｖでは、選択されている録画タイトルの映像データ（動画）を表示するようになっている。そして、字幕表示部Ｌｔは、タイトル情報表示部Ｔｉよりも大きく、６段表示できるようになっている。
【００６８】
録画タイトル一覧表示Ｍ２では、カーソルＣｓを移動し、録画タイトルを選択すると、選択された録画タイトルの映像データを動画表示部Ｍｖに動画として表示する。また、選択された録画タイトルの字幕を字幕表示部Ｌｔに表示するようになっている。字幕表示部Ｌｔで表示される字幕は、動画表示部Ｍｖの動画に同期してスクロールするようにしているが、これに限定されない。例えば、制御部３（すなわち、ユーザーによる操作入力部８からの入力）に基づいて、スクロールの速度を速くする又は遅くするようにしてもよい。さらには、ユーザーの指示に従って、スクロールを行うようにしてもよい。また、字幕のスクロールは、１文字又は数文字ずつ、単語ごと等であってもよいし、１段又は複数段ずつスクロールするようにしてもよい。
【００６９】
なお、録画タイトル一覧表示Ｍ２では、サムネイル画像表示部Ｔｎとは別に動画表示部Ｍｖ及びタイトル情報表示部Ｔｉとは別に字幕表示部Ｌｔを設けるものを示しているが、これに限定されるものではない。例えば、録画タイトル一覧表示Ｍ１において、選択された録画タイトルのサムネイル画像表示部Ｔｎを動画表示部Ｍｖとし、動画表示部Ｍｖに映像データを表示するようにしてもよい。
【００７０】
また、動画表示部Ｍｖに動画を表示する場合、音声データを同期して出力するようにしてもよい。なお、光ディスク装置Ａでは、動画表示部Ｍｖの表示を行う場合、外部出力部７で録画タイトル一覧表示Ｍ２の動画表示部Ｍｖに映像データを重畳させている。
【００７１】
（第３実施形態）
本発明にかかる録画再生装置の一例である光ディスク装置の録画データの一覧表示のさらに他の例について図面を参照して説明する。図５は本発明にかかる録画再生装置に録画されている録画データを模式的に示す図であり、図６は本発明にかかる録画再生装置による録画タイトル一覧表示の他の例を示す図である。なお、本実施形態の録画再生装置は、図１に示す光ディスク装置と同じ構成を有しており、図１の光ディスク装置を参照して説明する。また、図５に示す録画データは、映像データＰｄ、音声データＳｄ、字幕データＬｄとして表記している。
【００７２】
テレビ番組の中には、例えば、連続ドラマのように長いストーリを複数話に分割して放送する番組（シリーズ録画データ或いはシリーズ録画タイトルと称する）がある。図５は連続ドラマＳの第１話の録画データＳｔ１、第２話の録画データＳｔ２、第３話の録画データＳｔ３及び第４話の録画データＳｔ４を模式的に表示している。
【００７３】
テレビ放送されている連続ドラマでは、ユーザーが前回の放送の内容を思い出すのを補助するため、各話の最初の部分を前回の放送の終わり部分と重複させている場合が多い。光ディスク装置Ａの記録部４に録画されている録画データは、連続ドラマＳの各話が最初から最後まで録画された録画データを備えており、図５に示すように、第１話を除く各話の録画データの最初の部分は、前回の録画データの最後の部分と重複している。
【００７４】
例えば、図５に示すような連続ドラマの録画データの場合、第１話の録画データＳｔ１の最後の部分Ｌｓｔ１と、第２話の録画データＳｔ２の最初の部分Ｏｐｎ２とは重複している。第３話の録画データＳｔ３、第４話の録画データＳｔ４も同様になっている。
【００７５】
このような録画データを用いて、録画タイトル一覧表示Ｍ１、Ｍ２を行うと、選択された録画タイトルの字幕表示部Ｌｔに先頭部分の字幕を表示するため、各話の字幕表示部Ｌｔには、前回の録画タイトルの最後の部分（重複部分）の字幕が表示される。字幕は前回の録画タイトルのシーンの説明であるため、字幕を見ることで連想されるシーンと、実際に録画タイトルに含まれるシーンとが異なる場合があり、ユーザーの混乱を招く恐れがある。
【００７６】
そこで、本実施形態にかかる光ディスク装置Ａでは、図６に示すような録画タイトル一覧表示Ｍ３を行う。図６に示す録画タイトル一覧表示Ｍ３は、動画表示部Ｍｖを備える以外、図２に示す録画タイトル一覧表示Ｍ１と同じであり、実質上同じ部分には同じ符号を付すとともに、詳細な説明は省略する。
【００７７】
図６に示すように、録画タイトル一覧表示Ｍ３は、連続ドラマＳの第１話〜第４話を一覧表示している。図５に示しているように、連続ドラマＳでは、第１話を除く、各話の録画データの最初の部分は、直前の回の録画データの最後の部分と重複している。図６に示す録画タイトル一覧表示Ｍ３では、連続ドラマＳの第２話の録画タイトルが選択されており、第２話の録画タイトルの字幕表示部Ｌｔには、第１話の最後の部分と重複している部分の直後の部分から一定文字数表示している（図５、図６参照）。
【００７８】
例えば、図５において、第１話の録画データＳｔ１の字幕データＬｄの最後の部分Ｌｓｔ１である「〇〇◇・・・」と、第２話の録画データＳｔ２の字幕データＬｄの最初の部分Ｏｐｎ２である「〇〇◇・・・」が一致している。そのため、図６に示すように、録画タイトル一覧表示Ｍ３において、第２話の録画タイトルの字幕表示部Ｌｔには、字幕として最初の部分Ｏｐｎ２の直後の部分「〇〇△△・・・」を表示する。なお、表示される字幕は、一定の文字数となっている。
【００７９】
録画タイトル一覧表示Ｍ３では、第３話の録画データＳｔ３、第４話の録画データＳｔ４も同様に、最初の重複部分Ｏｐｎ３、Ｏｐｎ４の直後の部分の字幕を表示するようになっている。また、録画データの映像データＰｄ、音声データＳｄ及び字幕データＬｄは、それぞれ、時間情報を含んでいるため、全てのデータは同期することが可能となっている。そこで、録画タイトル一覧表示Ｍ３では、タイトル情報表示部Ｔｉに表示する字幕の時間と同じ時間の映像データＰｄの静止画をサムネイル画像として抽出し、サムネイル画像表示部Ｔｎに表示している。
【００８０】
さらに、ユーザーによって選択された録画タイトル（図６では、第２話、カーソルＣｓが当たっている）は、サムネイル画像表示部Ｔｎが動画表示部Ｍｖに、タイトル情報表示部Ｔｉの字幕を表示する部分が字幕表示部Ｌｔになっている。そして、字幕表示部Ｌｔには、第１話の最終部分Ｌｓｔ１と重複している最初の部分Ｏｐｎ２の直後の部分の字幕をスクロールさせて表示する。また、動画表示部Ｍｖも同様に最初の部分Ｏｐｎ２の直後の部分からの動画（映像データ）を表示するようになっている。
【００８１】
このような、録画データ一覧表示の表示手順についてフローチャートを参照して説明する。図７は図６に示す一覧表示を行うときの光ディスク装置の動作を示すフローチャートである。
【００８２】
光ディスク装置Ａでは、操作入力部８を介してユーザーから録画タイトル一覧表示Ｍ４の指示を受けると（ステップＳ２１）、制御部３は、記録部４の指定されたフォルダ内を検索する（ステップＳ２２）。制御部３は指定されたフォルダ内に、シリーズ録画データがあるかないか判断する（ステップＳ２３）。シリーズ録画データがない場合（ステップＳ２３でＮｏの場合）、録画タイトル一覧表示Ｍ１又は録画タイトル一覧表示Ｍ２のような表示を行う。なお、この場合の動作については上述のとおりであるため、省略する。
【００８３】
フォルダ内にシリーズ録画データがある場合（ステップＳ２３でＹｅｓの場合）、制御部３はシリーズ録画データの全てを確認し、録画日時を確認する（ステップＳ２４）。制御部３は録画日時を確認し、最も古い日時の録画データでは、最初の部分の字幕とその部分のサムネイル画像を抽出する（ステップＳ２５）。制御部３は、各録画データの字幕を抽出するとともに、各録画データの字幕と、その録画データの直前録画日時の録画データの字幕とを比較する（ステップＳ２６）。
【００８４】
この字幕の比較は、録画データより抽出した字幕の最初の部分と、直前の録画日時の録画データより抽出した字幕の最後の部分とを比較する（図５参照）。字幕データに共通の部分がある場合（ステップＳ２６でＹｅｓの場合）、制御部３は、録画データの最初の直前の録画日時の録画データと重複する部分の直後の部分の字幕とその部分のサムネイル画像を抽出する（ステップＳ２７）。重複部分がない場合（ステップＳ２６でＮｏの場合）、録画データの最初の部分の字幕とその部分のサムネイル画像を抽出する（ステップＳ２８）。
【００８５】
制御部３は、現在確認した録画データがシリーズ録画データの最も新しい録画日時の録画データであるか確認する（ステップＳ２９）。最も新しいシリーズの場合（ステップＳ２９の場合）、制御部３はすべてのシリーズ録画データから抽出した録画タイトル一覧表示Ｍ３に用いる字幕とサムネイル画像をＯＳＤ生成部６に送り、録画タイトル一覧表示Ｍ３を生成する（ステップＳ２１０）。さらに、制御部３は、各シリーズ録画データの字幕の開始部分の時間情報を、メモリ５に記憶させておく（ステップＳ２１１）。
【００８６】
制御部３は、操作入力部８からの情報を検出し、ユーザーが選択した（カーソルＣｓが当たっている）録画タイトルを検出する（ステップＳ２１２）。制御部３は、メモリ５にアクセスし、選択された録画タイトルの字幕の開始部分の時間（開始時間）情報を抽出する（ステップＳ２１３）。制御部３は、記録部４から、選択された録画タイトルに対応した録画データの映像データと字幕データと抽出する（ステップＳ２１４）。
【００８７】
ＯＳＤ生成部６は制御部３からの指示に従い、録画タイトル一覧表示Ｍ３の字幕表示部Ｌｔ（タイトル情報表示部Ｔｉの下２段）に、字幕を順次送って表示するように合成する（ステップＳ２１５）。
【００８８】
制御部３は、外部出力部７に指示を送り、録画タイトル一覧表示Ｍ３の動画表示部Ｍｖに映像データを重畳させディスプレイＤｐに送る（ステップＳ２１６）。
【００８９】
以上のようにして、光ディスク装置Ａでは、録画タイトル一覧表示Ｍ３に、シリーズ録画データの重複部分の字幕、サムネイル画像及び映像データ（動画）を表示しないようにすることで、ユーザーの混乱を抑制することができる。これにより、ユーザーの所望のシーンを含む録画タイトルの選別を補助することができる。
【００９０】
なお、ここでは、シリーズ録画データとして、連続ドラマの録画データを参照しているため、録画データから抽出した字幕の最初の部分と、直前の録画日時の録画データの字幕の最後とを比較しているが、これに限定されるものではない。例えば、シリーズ録画データがニュースショーやバラエティーショー等の録画データの場合、最初の部分が一致する場合がある。このような、シリーズ録画データを備える場合、全てのシリーズ録画データの字幕の最初の部分を比較するようにしてもよい。さらには、最初が共通であるか、録画データの最初の部分と前の日時の録画データの最後の部分とが重畳しているかわからない場合もある。この場合、時間はかかるが、字幕全体を比較するようにしてもよい。
【００９１】
さらに、録画タイトル一覧表示Ｍ３から録画タイトルを選択して再生を行う場合、選択された録画タイトルの直前の録画日時の録画タイトルと重複する部分を省いて再生を行うようにしてもよい。また、上述の説明では、録画データに含まれる字幕が完全一致する部分を除外するようになっているが、ある一定の割合（例えば８０％）一致する部分を除外するようにしてもよく、以下、字幕の比較を行う場合同様に行ってもよい。
【００９２】
（第４実施形態）
本発明にかかる録画再生装置の一例である光ディスク装置の録画データの一覧表示のさらに他の例について図面を参照して説明する。図８は本発明にかかる録画再生装置による録画タイトル一覧表示の他の例を示す図である。なお、本実施形態の録画再生装置は、図１に示す光ディスク装置と同じ構成を有しており、図１の光ディスク装置を参照して説明する。図８に示す録画タイトル一覧表示Ｍ４もシリーズ録画タイトルを表示している。
【００９３】
シリーズ録画タイトルが、例えばニュース番組等のように、複数個の小番組を組み合わせたものの場合がある。このようなシリーズ録画タイトルの場合、小番組は、内容は異なるが、出演者、番組構成、タイトル名は同じになっていることがほとんどである。このようなシリーズ録画タイトルの一覧表示を行う場合、同じ概要が表示されるようになり、ユーザーは概要を見ただけでは、録画タイトルの内容を確認することができない。
【００９４】
そこで、このような、同じ構成の小番組を含むシリーズ録画タイトルの一覧表示を行う場合、図８に示すような録画タイトル一覧表示Ｍ４を用いる。図８に示す録画タイトル一覧表示Ｍ４は、一覧表示されている全ての録画タイトルのタイトル情報表示部Ｔｉの下２段が字幕表示部Ｌｔとなっている以外は、図２に示す録画タイトル一覧表示Ｍ１と同じであり、実質上同じ部分には同じ符号を付すとともに、同じ部分の詳細な説明を省略する。
【００９５】
すなわち、各録画タイトルのタイトル情報表示部Ｔｉの下２段には、録画データの付加データより抽出した字幕が表示されるようになっている。字幕は、小番組のタイトル以外にも、小番組の内容も文字列で表示を行うため、ユーザーは字幕を比較することで、録画タイトルの内容を容易に把握することが可能である。すなわち、録画タイトル一覧表示Ｍ４を用いることで、ユーザーの録画タイトルの選別を補助することが可能となる。
【００９６】
録画タイトル一覧表示Ｍ４では、全ての録画タイトルのタイトル情報表示部Ｔｉの下２段を字幕表示部Ｌｔにしているが、これに限定されない。例えば、ユーザー複数の録画タイトルを選択できるようにしておき、選択された録画タイトルのタイトル情報表示部Ｔｉの下２段を字幕表示部Ｌｔとするようにしてもよい。
【００９７】
なお、録画タイトル一覧表示Ｍ４では、各録画タイトルの字幕表示部Ｌｔは、規定文字数の字幕を表示する構成としているが、これに限定されるものではなく、録画タイトルそれぞれの字幕表示部Ｌｔをスクロールして表示するようにしてもよい。このとき、字幕のスクロールは、同期していることが好ましい。
【００９８】
さらに、録画タイトル一覧表示Ｍ３から録画タイトルを選択して再生を行う場合、選択された録画タイトルの直前の録画日時の録画タイトルと重複する部分を省いて再生を行うようにしてもよい。
【００９９】
（第５実施形態）
本発明にかかる録画再生装置の一例である光ディスク装置の録画データの一覧表示のさらに他の例について図面を参照して説明する。図９は本発明にかかる録画再生装置による録画タイトル一覧表示の他の例を示す図である。なお、図９に示す録画タイトル一覧表示Ｍ５は、字幕表示部Ｌｔの表示方法が異なる以外は、図８に示す録画タイトル一覧表示Ｍ４と同じであり、実質上同じ部分には同じ符号を付すとともに、同じ部分の詳細な説明は省略する。また、本実施形態の録画再生装置は、図１に示す光ディスク装置と同じ構成を有しており、図１の光ディスク装置を参照して説明する。
【０１００】
通常、字幕は、録画タイトルの最初から最後まで含まれていることが多い。そのため、ユーザーが録画タイトルの字幕のすべてを確認するには、時間も手間もかかる。そこで、本実施形態にかかる光ディスク装置Ａでは、ユーザーによって、入力された文字列が含まれる字幕を表示するようにしている。
【０１０１】
例えば、図９に示す録画タイトル一覧表示Ｍ５では、各録画タイトルのタイトル情報表示部Ｔｉの下２段を字幕表示部Ｌｔとしておき、予めユーザーによって予め決められた文字列Ｃｈ１（ここでは、「〇△◇〇□」）が含まれる部分の字幕を表示している。録画タイトル一覧表示Ｍ５では、字幕に含まれる文字列Ｃｈ１をハイライト表示するようにしているが、これに限定されるものではない。例えば、太文字、斜体表示、下線付き等、文字列Ｃｈ１を視認しやすくする表示を広く採用することができる。
【０１０２】
なお、図９に示す録画タイトル一覧表示Ｍ５では、予め決められた文字列Ｃｈ１が含まれる字幕の一部（文節）を表示しているが、これに限定されるものではない。例えば、予め決められた文字列Ｃｈ１が最初となるような文を表示するようにしてもよいし、最後が予め決められた文字列Ｃｈ１となるような文を表示してもよい。このような場合、予め決められた文字列Ｃｈ１をユーザーが容易に認識することができるため、特に視認しやすくするような表示を行わなくてもよい。
【０１０３】
このような録画タイトル一覧表示Ｍ５を行う手順について図面を参照して説明する。図１０は図９に示す録画タイトル一覧表示を行う手順を示すフローチャートである。制御部３は、操作入力部８を介して入力された文字列Ｃｈ１（ここでは、「〇△◇〇□」）を確認し、文字列Ｃｈ１をメモリ５に記憶させる（ステップＳ３１）。なお、図示は省略しているがステップＳ３１の前に、録画タイトル一覧表示Ｍ５を行うための操作入力は行われているものとする。
【０１０４】
制御部３は、記憶部４にアクセスし選択されたフォルダに含まれる録画データから字幕データを抽出する（ステップＳ３２）。制御部３は、字幕データ内に予め決められた文字列Ｃｈ１が含まれるかどうか検索を行う（ステップＳ３３）。
【０１０５】
字幕データ内に文字列Ｃｈ１が含まれていない場合（ステップＳ３３でＮｏの場合）、制御部３は、録画データの最初の部分の字幕を抽出する（ステップＳ３４）。字幕データ内に文字列Ｃｈ１が含まれている場合（ステップＳ３３でＹｅｓの場合）、制御部３は、字幕の予め決められた文字列Ｃｈ１が含まれている文節を抽出する（ステップＳ３５）。そして、制御部３は、各録画データから抽出した字幕のデータをＯＳＤ生成部６に送り、ＯＳＤ生成部６に録画タイトル一覧表示Ｍ５のＯＳＤ画像を生成する指示を送る（ステップＳ３６）。
【０１０６】
制御部３は、録画データを外部出力部７に送るとともに、字幕の予め決められた文字列Ｃｈ１が含まれる文節と対応した部分を、動画表示部Ｍｖに映像データを重畳させてディスプレイＤｐに送る指示を外部出力部７に送る（ステップＳ２１６）。
【０１０７】
このようにすることで、ユーザーが所望するシーンが含まれた録画データを容易に選択することが可能となる。なお、本実施形態において、サムネイル画像表示部Ｔｎのサムネイル画像は、動画データの字幕の文字列Ｃｈ１が含まれる時間から静止画を抽出したものであってもよい。
【０１０８】
なお、本実施形態では、字幕の予め決められた文字列Ｃｈ１を含む文節を字幕表示部Ｌｔに表示するようにしているが、これに限定されるものではない。予め決められた文字列Ｃｈ１が含まれない文節を表示するようにしてもよい。
【０１０９】
（第６実施形態）
上述の各実施形態では、録画再生装置の一例である光ディスク装置において、録画タイトル一覧表示の指示があったときに、制御部３が記録部４の録画データ（の字幕データ）を確認するようになっている。録画タイトル一覧表示の指示があるたびに制御部３が録画データの字幕を確認する場合、確認に時間がかかる。そこで、本実施形態にかかる光ディスク装置では、記録部４に、内部に含まれる録画データの内部の文字列をデータベース化して保存している。
【０１１０】
図１１は字幕に含まれる文字列のデータベースの一例を示す図である。なお、本実施形態の録画再生装置は、図１に示す光ディスク装置と同じ構成を有しており、図１の光ディスク装置を参照して説明する。図１１は、タイトルＸの字幕データベースＤｂ１を示している。字幕データベースＤｂ１では、時間表示部Ｔｍ、文字列表示部Ｃｐとを備えている。
【０１１１】
図１１に示す字幕データベースＤｂ１は、文字列表示部Ｃｐに予め与えられている文字列Ｃｈ２、Ｃｈ３、Ｃｈ４が表示される。そして、時間表示部Ｔｍには、文字列Ｃｈ２、Ｃｈ３、Ｃｈ４のそれぞれがでてくる時間が表示されている。
【０１１２】
このような、字幕データベースＤｂ１を備えている場合、制御部３は、字幕の全てを検索する必要がなく、字幕内の文字列の検索を短時間で行うことができ、録画タイトル一覧表示を行うまでの時間を短くすることが可能である。
【０１１３】
なお、字幕データベースＤｂ１は、符号化データを記録部４に録画するときに、字幕の検索を行い、字幕データベースＤｂ１を作製するようにしてもよい。また、予め決められた文字列の検索を行うたびに、検索文字列とその文字列がでてくる時間をデータベースＤｂ１に付加するようにしてもよい。
【０１１４】
上述の実施形態では、字幕内を検索する文字列として、ユーザーから入力されたものを利用しているが、これに限定されるものではない。例えば、録画データの再生記録から、タイトル名、出演者、字幕等に多く含まれる文字列を自動的に抽出し、その文字列と文字列がでてくる時間をデータベースＤｂ１に追加するようにしてもよい。また、複数の録画データの字幕の共通する部分（文節、文字列）を抽出し、字幕データベースに追加するようにしてもよい。
【０１１５】
（第７実施形態）
本発明にかかる録画再生装置の一例である光ディスク装置の録画データの一覧表示のさらに他の例について図面を参照して説明する。図１２は本発明にかかる録画再生装置の一例である光ディスク装置による録画タイトル一覧表示の他の例を示す図である。なお、本実施形態の録画再生装置は、図１に示す光ディスク装置と同じ構成を有しており、図１の光ディスク装置を参照して説明する。また、制御部３が絞込み手段として動作する。
【０１１６】
記録部４には、これまで録画した多数の録画データが記録されていることがほとんどである。ユーザーが録画データを選ぶ場合、全ての録画タイトルが表示された録画タイトル一覧表示から直接選択するよりも、一定の条件に合致する録画タイトルを絞り込み、絞り込んだ録画タイトル一覧表示の中から選択する方が、効率よく選択できる場合がある。
【０１１７】
録画タイトルの絞り込みを行う場合、まずは、チャンネル、録画日時、タイトル、ジャンル等、カテゴリーごとに分類して候補を減らしていくことがなされる場合が多い。そのため、図１２に示す録画タイトル一覧表示Ｍ６では、録画タイトル一覧表示Ｍ１の詳細な情報を表示するタイトル情報表示部Ｔｉの代わりにタイトルとジャンルといった少ない文字情報のタイトルジャンル表示部Ｔｊを表示する。
【０１１８】
また、録画タイトル一覧表示Ｍ６において、タイトルジャンル表示部Ｔｊは、タイトル情報表示部Ｔｉに比べて、表示する表示文字数が少なく、１つの録画タイトルの表示領域を狭くすることが可能である。これにより、録画タイトル一覧表示Ｍ６は、タイトル情報表示部Ｔｉを表示する録画タイトル一覧表示に比べて多くの録画タイトルを表示可能となる。
【０１１９】
そして、録画タイトル一覧表示Ｍ６を見ながらユーザーが絞込みの条件を決定し、その条件を操作部８を介して入力する。絞込み条件が入力されると、制御部３は、録画タイトル一覧表示Ｍ６で表示されている録画タイトルの中から、絞込み条件に合致した録画タイトルを抽出し、絞り込まれた録画タイトルで、録画タイトル一覧表示を行う（絞り込み検索）。
【０１２０】
例えば、ユーザーが「２／１〜２／７の１週間に録画されたタイトル」との絞込み条件を操作部より入力した場合、制御部３は、絞込み条件に合致した録画タイトルを抽出し、その絞り込まれた録画タイトルで録画タイトル一覧表示Ｍ１を行う。このように、録画タイトルを絞り込んだのち、多数の文字列を含むタイトル情報表示Ｔｉ及び字幕情報Ｌｔを行うようにすることで、ユーザーが確認する文字情報の量を減らすことができ、ユーザーによる録画タイトル選択の利便性が高くなる。
【０１２１】
なお、本実施形態では、録画タイトルの絞込みを行った後、録画タイトル一覧表示として、図２に示す録画タイトル一覧表示Ｍ１を採用しているが、これに限定されるものではない。絞込み後の録画タイトルによって、図４に示す録画タイトル一覧表示Ｍ２、図６に示す録画タイトル一覧表示Ｍ３、図８に示す録画タイトル一覧表示Ｍ４、図９に示す録画タイトル一覧表示Ｍ５のいずれかで表示を行うようにしてもよい。絞込み後の録画タイトル一覧表示の選択は、制御部３が、絞込み条件等に基づいて決定するようにしてもよいし、ユーザーによって切り替えることができるようになっていてもよい。
【０１２２】
また、１回の絞り込み検索で、絞り込まれた録画タイトルの数が多い場合、再度、タイトルジャンル表示部Ｔｊを備えた録画タイトル一覧表示Ｍ６を行うようにしてもよい。そして、絞り込まれた録画タイトルの数が一定数以下となったときのみ、タイトル情報表示部Ｔｉ及び字幕情報Ｌｔを備えた録画タイトル一覧表示Ｍ１〜録画タイトル一覧表示Ｍ５のいずれかを表示するようにしてもよい。
【０１２３】
本実施形態では、録画タイトル一覧表示Ｍ６として、サムネイル画像表示部Ｔｎ、チャンネル表示部Ｃｎ、録画日時表示部Ｔｍ及びタイトルジャンル表示部Ｔｊを備えたものとしている。しかしながら、これに限定されるものではなく、これらの中から録画タイトルの特徴を示すもの、例えば、サムネイル画像表示部Ｔｎとタイトルジャンル表示部Ｔｊとを表示するようなものであってもよい。この表示する内容については、予め決められていてもよいし、ユーザーが指定するようにしてもよい。また、複数回絞り込みを行う場合、前回の絞り込み検索のときの絞り込み条件に関連する情報を表示しないようにしてもよい。
【０１２４】
このような録画タイトル一覧表示を行うことで、指定時間の（ユーザーによって選択されている）全ての放送を録画する録画方式を採用している録画再生装置の録画データの検索に用いることで、ユーザーによる録画データの検索の手間を省くことができる。
【０１２５】
以上、本発明の実施形態について説明したが、本発明はこの内容に限定されるものではない。また本発明の実施形態は、発明の趣旨を逸脱しない限り、種々の改変を加えることが可能である。
【産業上の利用可能性】
【０１２６】
本発明は、光ディスク装置等の放送データを録画データとして記録部に録画するとともに、録画データを再生することができる記録再生装置として利用することが可能である。
【符号の説明】
【０１２７】
１  チューナ部
２  データ処理部
２１  デコーダ部
２２  エンコーダ部
２３  付加情報抽出部
３  制御部
４  記録部
４１  ハードディスクドライブ部
４２  光ディスクドライブ部
５  メモリ
６  ＯＳＤ生成部
７  外部出力部
８  操作入力部
【図１】
2015019268.tif 000003
【図２】
2015019268.tif 000004
【図３】
2015019268.tif 000005
【図４】
2015019268.tif 000006
【図５】
2015019268.tif 000007
【図６】
2015019268.tif 000008
【図７】
2015019268.tif 000009
【図８】
2015019268.tif 000010
【図９】
2015019268.tif 000011
【図１０】
2015019268.tif 000012
【図１１】
2015019268.tif 000013
【図１２】
2015019268.tif 000014